(57)【要約】      （修正有）【課題】ユーザが指定した年月日が同一であっても異なる内容の記事を有する新聞の複製物を提供する新聞情報出力装置を提供する。【解決手段】新聞情報出力装置１の注文受付部１５は、過去の日付を示す日付情報を含む注文を受け付ける。推奨紙面決定部１６は、注文受付部が受け付けた注文に含まれる日付情報が示す日付、及び、日付情報が示す日付に発行された新聞の記事内容のうちの少なくとも一方に基づいて、注文受付部が受け付けた注文に含まれる日付情報により決定される新聞の紙面と共に印刷することを推奨する新聞の紙面を決定する。報知情報生成部１８は、推奨紙面決定部が決定した推奨する新聞の紙面をユーザに報知する報知情報を生成する。印刷データ生成部２５は、報知情報に基づいてユーザに報知した推奨する新聞の紙面を追加する注文を注文受付部が受け付けた場合に、ユーザに報知した推奨する新聞の紙面を印刷する印刷データを生成する。【選択図】図２
2017021709.tif 000002
【特許請求の範囲】
【請求項１】
過去の日付を示す日付情報を含む注文を受け付ける注文受付部と、
前記注文受付部が受け付けた注文に含まれる日付情報が示す日付、及び、前記日付情報が示す日付に発行された新聞の記事内容のうちの少なくとも一方に基づいて、前記注文受付部が受け付けた注文に含まれる日付情報により決定される新聞の紙面と共に印刷することを推奨する新聞の紙面を決定する推奨紙面決定部と、
前記推奨紙面決定部が決定した推奨する新聞の紙面をユーザに報知する報知情報を生成する報知情報生成部と、
前記報知情報に基づいてユーザに報知した推奨する新聞の紙面を追加する注文を前記注文受付部が受け付けた場合に、前記ユーザに報知した推奨する新聞の紙面を印刷する印刷データを生成する印刷データ生成部と、
を備える新聞情報出力装置。
【請求項２】
前記注文受付部は、
新聞記事の分野を示す分野情報を含む注文を受け付け、
前記推奨紙面決定部は、
前記注文受付部が受け付けた分野情報にさらに基づいて、推奨する新聞の紙面を決定する、
請求項１に記載の新聞情報出力装置。
【請求項３】
ユーザがアップロードし前記印刷データと共に印刷されるアップロードデータを取得するアップロードデータ取得部、
を備える請求項１または請求項２に記載の新聞情報出力装置。
【請求項４】
前記推奨紙面決定部は、
前記注文受付部が受け付けた注文に含まれる日付情報が示す日付に基づいて前記推奨する新聞の紙面を決定する場合には、予め用意された日付とキーワードとの対応関係と、予め用意されたキーワードと新聞の紙面との対応関係と、前記日付情報が示す日付とを用いて前記推奨する新聞の紙面を決定し、前記日付情報が示す日付に発行された新聞の記事内容に基づいて前記推奨する新聞の紙面を決定する場合には、予め用意されたキーワードと新聞の紙面との対応関係と、前記日付情報が示す日付に発行された新聞の紙面に基づいて特定したキーワードとを用いて前記推奨する新聞の紙面を決定する、
請求項１から請求項３の何れか一項に記載の新聞情報出力装置。
【請求項５】
コンピュータを、
過去の日付を示す日付情報を含む注文を受け付ける注文受付手段、
前記注文受付手段が受け付けた注文に含まれる日付情報が示す日付、及び、前記日付情報が示す日付に発行された新聞の記事内容のうちの少なくとも一方に基づいて、推奨する新聞の紙面を決定する推奨紙面決定手段、
前記推奨紙面決定手段が決定した推奨する新聞の紙面をユーザに報知する報知情報を生成する報知情報生成手段、
前記報知情報に基づいてユーザに報知した推奨する新聞の紙面を追加する注文を前記注文受付手段が受け付けた場合に、前記ユーザに報知した推奨する新聞の紙面を印刷する印刷データを生成する印刷データ生成手段、
として機能させるプログラム。
【発明の詳細な説明】
【技術分野】
【０００１】
本発明は、新聞情報出力装置及びプログラムに関する。
【背景技術】
【０００２】
ユーザが指定した日に発行された新聞の紙面を印刷した新聞の複製物を誕生日や記念日の贈り物として送付するサービスが知られている。
特許文献１には、関連する技術として、指定された過去の日付を受け付け、受け付けた過去の日付に発行された新聞の紙面を紙媒体に印刷し、印刷により得た新聞の複製物を出力する新聞出力装置に関する技術が記載されている。
【先行技術文献】
【特許文献】
【０００３】
【特許文献１】特開２０００−３０１４５号公報
【発明の概要】
【発明が解決しようとする課題】
【０００４】
ところで、ユーザが上述のような新聞の複製物を誕生日や記念日などの贈り物として送付するサービスを利用する際に、複製物の新聞の紙面は、ユーザが指定した年月日に発行された新聞の紙面となる。そのため、複製物の新聞の記事の内容は、贈り相手の好みや生年月日や記念日が示す時代背景などに関わらず、ユーザが指定した年月日により決定される一定の新聞の記事の内容となってしまう。
そのため、ユーザが指定した年月日が同一であっても異なる内容の記事を有する新聞の複製物を提供することのできる技術が求められていた。
【０００５】
そこでこの発明は、上記の課題を解決することのできる新聞情報出力装置及びプログラムを提供することを目的としている。
【課題を解決するための手段】
【０００６】
本発明の第１の態様によれば、新聞情報出力装置は、過去の日付を示す日付情報を含む注文を受け付ける注文受付部と、前記注文受付部が受け付けた注文に含まれる日付情報が示す日付、及び、前記日付情報が示す日付に発行された新聞の記事内容のうちの少なくとも一方に基づいて、前記注文受付部が受け付けた注文に含まれる日付情報により決定される新聞の紙面と共に印刷することを推奨する新聞の紙面を決定する推奨紙面決定部と、前記推奨紙面決定部が決定した推奨する新聞の紙面をユーザに報知する報知情報を生成する報知情報生成部と、前記報知情報に基づいてユーザに報知した推奨する新聞の紙面を追加する注文を前記注文受付部が受け付けた場合に、前記ユーザに報知した推奨する新聞の紙面を印刷する印刷データを生成する印刷データ生成部と、を備える。
【０００７】
本発明の第２の態様によれば、上述の新聞情報出力装置において、前記注文受付部は、新聞記事の分野を示す分野情報を含む注文を受け付け、前記推奨紙面決定部は、前記注文受付部が受け付けた分野情報にさらに基づいて、推奨する新聞の紙面を決定する。
【０００８】
本発明の第３の態様によれば、上述の新聞情報出力装置は、ユーザがアップロードし前記印刷データと共に印刷されるアップロードデータを取得するアップロードデータ取得部、を備える。
【０００９】
本発明の第４の態様によれば、上述の新聞情報出力装置において、前記推奨紙面決定部は、前記注文受付部が受け付けた注文に含まれる日付情報が示す日付に基づいて前記推奨する新聞の紙面を決定する場合には、予め用意された日付とキーワードとの対応関係と、予め用意されたキーワードと新聞の紙面との対応関係と、前記日付情報が示す日付とを用いて前記推奨する新聞の紙面を決定し、前記日付情報が示す日付に発行された新聞の記事内容に基づいて前記推奨する新聞の紙面を決定する場合には、予め用意されたキーワードと新聞の紙面との対応関係と、前記日付情報が示す日付に発行された新聞の紙面に基づいて特定したキーワードとを用いて前記推奨する新聞の紙面を決定する。
【００１０】
本発明の第５の態様によれば、プログラムは、コンピュータを、過去の日付を示す日付情報を含む注文を受け付ける注文受付手段、前記注文受付手段が受け付けた注文に含まれる日付情報が示す日付、及び、前記日付情報が示す日付に発行された新聞の記事内容のうちの少なくとも一方に基づいて、前記注文受付手段が受け付けた注文に含まれる日付情報により決定される新聞の紙面と共に印刷することを推奨する新聞の紙面を決定する推奨紙面決定手段、前記推奨紙面決定手段が決定した推奨する新聞の紙面をユーザに報知する報知情報を生成する報知情報生成手段、前記報知情報に基づいてユーザに報知した推奨する新聞の紙面を追加する注文を前記注文受付手段が受け付けた場合に、前記ユーザに報知した推奨する新聞の紙面を印刷する印刷データを生成する印刷データ生成手段、として機能させる。
【発明の効果】
【００１１】
本発明の新聞情報出力装置の処理により、ユーザが指定した年月日が同一であっても異なる内容の記事を有する新聞の複製物を提供することができる。
【図面の簡単な説明】
【００１２】
【図１】本発明の第一の実施形態による受発注システムの構成を示す図である。
【図２】本実施形態による新聞情報出力装置の構成を示す図である。
【図３】本実施形態による第１データテーブルを示す図である。
【図４】本実施形態による第２データテーブルを示す図である。
【図５】本実施形態による新聞情報出力装置を実現するハードウェアの構成を示す図である。
【図６】本実施形態による受発注システムの受付画面を示す図である。
【図７】本実施形態による受発注システムの処理フローを示す図である。
【図８】本発明の第二の実施形態による受発注システムの処理フローを示す図である。
【図９】本発明の第三の実施形態による第３データテーブルを示す図である。受発注システムの受付画面を示す図である。
【図１０】本実施形態による受発注システムの受付画面を示す図である。
【図１１】本実施形態による受発注システムの処理フローを示す図である。
【図１２】本発明の第四の実施形態による新聞情報出力装置の構成を示す図である。
【図１３】本実施形態による受発注システムの受付画面を示す図である。
【図１４】本実施形態による受発注システムの処理フローを示す図である。
【発明を実施するための形態】
【００１３】
＜第一の実施形態＞
以下、本発明の第一の実施形態について、図面を参照して詳細に説明する。
まず、本実施形態による新聞情報出力装置１を備える受発注システム３の構成について説明する。
本実施形態による受発注システム３は、図１に示すように、発注端末４０と、受注システム５０と、ネットワーク６０と、を備える。また、受注システム５０は、新聞情報出力装置１と、印刷機２とを備える。
【００１４】
発注端末４０は、ユーザが新聞の複製物を誕生日や記念日などに贈るサービス（以下、記念日新聞に係るサービス）を発注するための装置である。例えば、発注端末４０は、ウェブブラウザがインストールされたパーソナルコンピュータ、スマートフォン、タブレット端末などである。なお、記念日新聞に係るサービスは、例えば、過去に発行した新聞の紙面情報を用いてユーザが指定した日付の新聞記事（一面やテレビ欄など）を製本した商品を提供するサービスである。なお、紙面情報とは、過去に発行した新聞の紙面のスキャンデータである。
【００１５】
受注システム５０は、発注端末４０からユーザが発注した記念日新聞に係るサービスを受注する装置である。
新聞情報出力装置１は、記念日新聞に係るサービスの注文サイトを管理する。
すなわち、新聞情報出力装置１は、記念日新聞に係るサービスの注文サイトの情報リソースを記憶する。
また、新聞情報出力装置１は、過去の日付を示す日付情報を含む注文を受け付ける。新聞情報出力装置１は、発注端末４０が送信したＨＴＭＬのデータ（注文を示すデータ）を受信し、注文を記憶する。
また、新聞情報出力装置１は、新聞社から提供された過去に発行した新聞の紙面情報を記憶する。
また、新聞情報出力装置１は、記憶している新聞の紙面情報を読み出す。
また、新聞情報出力装置１は、新聞社から新規に提供された新聞の紙面情報を記憶する。
また、新聞情報出力装置１は、受け付けた注文に含まれる日付情報が示す日付、及び、日付情報が示す日付に発行された新聞の記事内容のうちの少なくとも一方に基づいて、受け付けた注文に含まれる日付情報により決定される新聞の紙面と共に印刷することを推奨する新聞の紙面（以下、「推奨する新聞の紙面」と記載）を決定する。例えば、新聞情報出力装置１は、受け付けた注文に含まれる日付情報が示す日付に基づいて推奨する新聞の紙面を決定する場合には、予め用意された日付とキーワードとの対応関係と、予め用意されたキーワードと新聞の紙面との対応関係と、日付情報が示す日付とを用いて推奨する新聞の紙面を決定する。また、例えば、新聞情報出力装置１は、日付情報が示す日付に発行された新聞の記事内容に基づいて推奨する新聞の紙面を決定する場合には、予め用意されたキーワードと新聞の紙面との対応関係と、日付情報が示す日付に発行された新聞の紙面に基づいて特定したキーワードとを用いて推奨する新聞の紙面を決定する。
また、新聞情報出力装置１は、決定した推奨する新聞の紙面をユーザに報知する報知情報を生成する。
また、新聞情報出力装置１は、生成した報知情報を発注端末４０に送信する。
また、新聞情報出力装置１は、注文に含まれる日付情報により決定される新聞の紙面を印刷する印刷データを生成する。
また、新聞情報出力装置１は、報知情報に基づいてユーザに報知した推奨する新聞の紙面を追加する注文を受け付けた場合に、ユーザに報知した推奨する新聞の紙面を印刷する印刷データを生成する。
また、新聞情報出力装置１は、発注端末４０から注文内容を確定する最終注文を受信すると、印刷データを印刷機２に送信する。
印刷機２は、印刷データに基づいて新聞の紙面情報を製本に用いる用紙に印刷する。
【００１６】
ネットワーク６０は、例えば、インターネットプロトコル（Ｉｎｔｅｒｎｅｔ  Ｐｒｏｔｏｃｏｌ；ＩＰ）によって通信可能なコンピュータネットワークである。例えば、ネットワーク６０は、インターネットである。なお、ネットワーク６０は、ローカルエリアネットワーク（Ｌｏｃａｌ  Ａｒｅａ  Ｎｅｔｗｏｒｋ；ＬＡＮ）を含んでもよい。
発注端末４０と、受注システム５０とは、ネットワーク６０を介して通信可能に接続されている。
【００１７】
ユーザは、発注端末４０のウェブブラウザを用いて新聞情報出力装置１が管理する記念日新聞に係るサービスの注文サイトを閲覧し、その注文サイトの注文フォームに従って注文の操作を行う。記念日新聞に係るサービスの注文サイトは、オンラインショップサイトである。例えば、発注端末４０は、ＨＴＴＰ（Ｈｙｐｅｒｔｅｘｔ  Ｔｒａｎｓｆｅｒ  Ｐｒｏｔｏｃｏｌ）またはＨＴＴＰＳ（Ｈｙｐｅｒｔｅｘｔ  Ｔｒａｎｓｆｅｒ  Ｐｒｏｔｏｃｏｌ  Ｓｅｃｕｒｅ）によって、新聞情報出力装置１が管理する記念日新聞に係るサービスの注文サイトにアクセスし、新聞情報出力装置１からＨＴＭＬ（Ｈｙｐｅｒｔｅｘｔ  Ｍａｒｋｕｐ  Ｌａｎｇｕａｇｅ）の情報リソースを取得する。そして、発注端末４０は、取得した情報リソースをウェブブラウザによって表示部に表示させる。発注端末４０は、ユーザが操作を行い指定した過去の日付を示す日付情報を含む注文を示すデータを、ＨＴＭＬのデータとして新聞情報出力装置１に送信する。新聞情報出力装置１は、発注端末４０から受信した注文に基づいて、推奨する新聞の紙面をユーザに報知する報知情報を生成する。新聞情報出力装置１は、生成した報知情報を発注端末４０に送信する。
発注端末４０は、新聞情報出力装置１から報知情報を受信する。発注端末４０は、受信した報知情報を表示部に表示させる。発注端末４０は、ユーザが操作を行い最終的な注文を示すデータを、ＨＴＭＬのデータとして新聞情報出力装置１に送信する。
新聞情報出力装置１は、発注端末４０から受信した最終的な注文に基づいて、製本に用いる新聞の紙面情報と特定する。新聞情報出力装置１は、特定した製本に用いる新聞の紙面情報に基づいて、新聞の紙面を印刷する印刷データを生成する。新聞情報出力装置１は、生成した印刷データを印刷機２に送信する。
印刷機２は、新聞情報出力装置１から受信した印刷データに基づいて、最終的な注文に対応する新聞記事を製本に用いる用紙に印刷する。印刷機２が印刷した用紙は、製本され、注文票と共にユーザが指定した住所へ送付される。
【００１８】
次に、本実施形態による新聞情報出力装置１の構成について説明する。
実施形態において、新聞情報出力装置１は、記念日新聞に係るサービスのウェブサイト上で注文のための操作を案内すると共に、ユーザが発注端末４０を操作してウェブサイトから指定した注文を受け付ける装置である。
新聞情報出力装置１は、図２に示すように、通信部１０と、紙面情報記憶部１２と、キーワード情報記憶部１３と、紙面情報管理部１４と、注文受付部１５と、推奨紙面決定部１６と、報知情報生成部１８と、日付判定部２４と、印刷データ生成部２５と、を備える。
【００１９】
通信部１０は、ネットワーク６０を介して発注端末４０と通信を行う。
紙面情報記憶部１２は、新聞の発行日とその発行日に発行された新聞の紙面情報とを対応付けて記憶する。例えば、紙面情報記憶部１２は、図３に示すような第１データテーブルＴＢＬ１を記憶する。図３に示す第１データテーブルＴＢＬ１は、新聞の発行日と紙面情報とを対応付けて記憶している。なお、紙面情報は、予め各新聞の紙面のレイアウトが解析されたレイアウト解析結果（紙面における見出しの位置、見出しの文字サイズ、見出しに含まれるキーワード、紙面における写真の位置、写真サイズなど）や新聞の紙面が形態素解析された形態素解析結果（各記事に含まれるキーワードなど）を含む。
【００２０】
キーワード情報記憶部１３は、予め各新聞の紙面のレイアウトが解析されたレイアウト解析結果や新聞の紙面が形態素解析された形態素解析結果により得られたキーワードのそれぞれと、それぞれのキーワードが世相を表した時期とを対応付けて記憶する。例えば、キーワード情報記憶部１３は、図４に示すような第２データテーブルＴＢＬ２を記憶する。図４に示す第２データテーブルＴＢＬ２は、キーワードを示す「新幹線」と、時期を示す東海道新幹線が開業した「１９６４年」、山陽新幹線が開業した「１９７２年」、東北新幹線と上越新幹線が開業した「１９８２年」、山形新幹線が開業した「１９９２年」、秋田新幹線と長野新幹線が開業した「１９９７年」、九州新幹線が開業した「２００４年」とを対応付けて記憶している。また、第２データテーブルＴＢＬ２は、キーワードを示す「オリンピック」と、時期を示す東京オリンピックが開催された「１９６４年」、札幌オリンピックが開催された「１９７２年」、長野オリンピックが開催された「１９９８年」とを対応付けて記憶している。
【００２１】
紙面情報管理部１４は、紙面情報記憶部１２が記憶する過去に発行された新聞の紙面情報を読み出す。また、紙面情報管理部１４は、新規に発行された新聞の紙面情報を紙面情報記憶部１２に書き込む。
【００２２】
注文受付部１５は、過去の日付を示す日付情報を含む記念日新聞に係るサービスの注文を受け付ける。
【００２３】
推奨紙面決定部１６は、注文受付部１５が受け付けた注文に含まれる日付情報が示す日付、及び、注文受付部１５が受け付けた注文に含まれる日付情報が示す日付に発行された新聞の記事内容のうちの少なくとも一方に基づいて、注文受付部１５が受け付けた注文に含まれる日付情報により決定される新聞の紙面と共に印刷することを推奨する新聞の紙面を決定する。例えば、推奨紙面決定部１６は、注文受付部１５が受け付けた注文に含まれる日付情報が示す日付に基づいて推奨する新聞の紙面を決定する場合には、予め用意された日付とキーワードとの対応関係と、予め用意されたキーワードと新聞の紙面との対応関係と、日付情報が示す日付とを用いて推奨する新聞の紙面を決定する。また、例えば、推奨紙面決定部１６は、日付情報が示す日付に発行された新聞の記事内容に基づいて推奨する新聞の紙面を決定する場合には、予め用意されたキーワードと新聞の紙面との対応関係と、日付情報が示す日付に発行された新聞の紙面に基づいて特定したキーワードとを用いて推奨する新聞の紙面を決定する。
推奨紙面決定部１６は、推奨する新聞の紙面を報知情報生成部１８に送信する。
【００２４】
報知情報生成部１８は、推奨紙面決定部１６から推奨する新聞の紙面を受信すると、受信した新聞の紙面をユーザに報知する報知情報を生成する。
日付判定部２４は、注文受付部１５が受け付ける注文に含まれる日付情報が示す日に発行された新聞の紙面情報が、紙面情報記憶部１２の第１データテーブルＴＢＬ１に記憶されているか否かを判定する。
印刷データ生成部２５は、注文受付部１５が推奨する新聞の紙面を追加する注文を受け付けた場合に、注文受付部１５が受け付けた注文に含まれる記念日を示す日付情報により決定される新聞の紙面と共に印刷することを推奨する新聞の紙面を印刷する印刷データを生成する。
【００２５】
次に、図２で示した新聞情報出力装置１を実現するハードウェアの構成について説明する。
図２で示した新聞情報出力装置１は、図５に示すように、ＣＰＵ部２８と、通信部１０と、記憶部３０と、を備える。ＣＰＵ部２８、通信部１０、記憶部３０のそれぞれは、データを交換できるように構成されている。ＣＰＵ部２８は、新聞情報出力装置１の制御を行う。この制御機能は、ＣＰＵ部２８がコンピュータプログラムを実行することにより実現される。通信部１０は、他の装置と通信を行う。記憶部３０は、ＣＰＵ部２８で実行されるコンピュータプログラムや各種のデータを記憶する。記憶部３０は、記念日新聞受注プログラム３２を記憶している。
【００２６】
図２で示した紙面情報管理部１４、注文受付部１５、推奨紙面決定部１６、報知情報生成部１８、日付判定部２４、印刷データ生成部２５のそれぞれは、図５で示したＣＰＵ部２８が記憶部３０の記憶する記念日新聞受注プログラム３２を実行することにより実現される。また、図２で示した紙面情報記憶部１２、キーワード情報記憶部１３のそれぞれは、図５で示した記憶部３０内に設けられる。
【００２７】
次に、ユーザが注文を入力する受付画面について説明する。
図６は、ユーザが記念日新聞に係るサービスを発注する際に、注文を入力する受付画面の例を示す図である。
図６（１）、（２）は、ユーザが記念日新聞に係るサービスを発注する際の主な受付画面を示している。
【００２８】
図６（１）の受付画面は、ユーザが行う注文の主な入力である「１．新聞社の入力」を行う画面である。図６（１）の受付画面でユーザが行う「１．新聞社の入力」は、複数の新聞社が発行する新聞のうちどの新聞記事を使用して記念日新聞に係るサービスを提供するかを指定するための入力である。例えば、ユーザが行う「１．新聞社の入力」は、図６（１）に示すように、「ご希望の新聞社をお選びください」という表示の近傍に表示されたプルダウンメニューに示される複数の新聞社の中から１つの新聞社をユーザが選択することにより行うものである。
なお、ユーザが行う「１．新聞社の入力」は、プルダウンメニューに示される複数の新聞社の中から１つの新聞社を選択することにより行うものに限定するものではない。例えば、ユーザは、キーをタイプして入力欄に１つの新聞社名を入力することにより行うものであってもよい。
【００２９】
図６（２）の受付画面は、ユーザが行う注文の主な入力である「２．記念日の入力」を行う画面である。図６（２）の受付画面でユーザが行う「２．記念日の入力」は、いつ発行した新聞の新聞記事を使用して記念日新聞に係るサービスを提供するかを指定するための入力である。例えば、ユーザが行う「２．記念日の入力」は、図６（２）に示すように、「ご希望の日付を入力してください」という表示の近傍に表示されたプルダウンメニューに示される「年」、「月」及び「日」のそれぞれを複数の候補の中から選択し、その選択により日付（年月日）を指定する。また、プルダウンメニューに示される「年分」のそれぞれの複数の候補の中から１つを選択することにより複数年まとめて日付を入力するものである。すなわち、ユーザは、１つの日付を示す「年」、「月」、「日」を入力し、複数年を示す何「年分」を入力することにより、複数年のそれぞれが示す年と日付が示す月日とを組み合わせたそれぞれの年月日が発行日として入力したことになる。例えば、１つの日付を示す「年」、「月」、「日」として“２０１４年８月１２日”を入力し、複数年を示す「年分」として“２”を入力した場合、“２０１４年８月１２日”、“２０１５年８月１２日”を入力したことになる。
なお、ユーザが行う「２．記念日の入力」は、プルダウンメニューに示される複数の候補の中から選択することにより行うものに限定するものではない。例えば、ユーザは、キーボードをタイプして複数の入力欄のそれぞれに１つの日付を入力することにより複数の日付が示す記念日の入力を行うものであってもよい。また、例えば、ユーザは、所定のファイル形式のファイルから成る注文シートをダウンロードし、ダウンロードしたファイルに複数の日付を入力する。そして、ユーザは、複数の日付を入力したファイルをアップロードするものであってもよい。なお、所定のファイル形式のファイルは、例えば、データをカンマや改行で区切って並べたテキスト形式のファイルの１つであるＣＳＶ形式のファイルである。
【００３０】
次に、本実施形態による受発注システム３における新聞情報出力装置１の処理について説明する。
ここでは、図７に示す受発注システム３の処理フローについて説明する。
なお、推奨紙面決定部１６は、注文受付部１５が受け付けた注文に含まれる日付情報が示す日付に基づいて、推奨する新聞の紙面を決定する。
【００３１】
発注端末４０は、ユーザ操作により記念日新聞に係るサービスの注文サイトにアクセスする。発注端末４０は、受注システム５０からＨＴＭＬの情報リソース（受付画面データ）を取得する。発注端末４０は、取得した情報リソースをウェブブラウザによって発注端末４０の表示部（図示せず）に表示させる。ここで、記念日新聞に係るサービスが複数ある場合、ユーザは複数の記念日新聞に係るサービスから１つを指定する操作を発注端末４０に対して行う。発注端末４０は、受注システム５０からＨＴＭＬの情報リソース（受付画面データ）を取得する。発注端末４０は、取得した情報リソースをウェブブラウザによって発注端末４０の表示部に表示させる。なお、以下では、発注端末４０が表示部に受付画面を表示させる際に行う、ＨＴＭＬの情報リソース（受付画面データ）の取得についての記述は省略する。
【００３２】
発注端末４０は、ユーザ操作により注文サイトの受付画面を発注端末４０の表示部に表示させる。発注端末４０の表示部が表示する受付画面は、例えば、図６で示した受付画面である。
【００３３】
ユーザは、発注端末４０の表示部が表示する受付画面において記念日新聞を注文する操作を行う。具体的には、例えば、ユーザは、図６（１）で示した「ご希望の新聞社をお選びください」という表示の近傍に表示されたプルダウンメニューに示される複数の新聞社の中から１つの新聞社をユーザが選択することにより「１．新聞社の入力」を行う。また、例えば、ユーザは、図６（２）で示した「ご希望の日付を入力してください」という表示の近傍に表示されたプルダウンメニューに示される「年」、「月」及び「日」のそれぞれを複数の候補の中から選択し、その選択により日付（年月日）を指定することにより、「２．記念日の入力」を行う。
【００３４】
ユーザが発注端末４０の受付画面において記念日新聞を注文する操作を行うと、発注端末４０は、その操作に応じた新聞社と日付情報とを示す注文を受注システム５０に送信する（ステップＳ１）。
【００３５】
注文受付部１５は、発注端末４０から通信部１０を介して注文を受信すると（ステップＳ２）、受信した注文に含まれる日付情報が示す日付を推奨紙面決定部１６に送信する。また、注文受付部１５は、発注端末４０から通信部１０を介して注文を受信すると、受信した注文に含まれる日付情報が示す日付と、受信した新聞社とを日付判定部２４に送信する。
【００３６】
日付判定部２４は、注文受付部１５から注文に含まれる日付情報が示す日付と、新聞社とを受信すると、紙面情報記憶部１２から第１データテーブルＴＢＬ１を読み出す。日付判定部２４は、注文受付部１５から受信した日付と、注文受付部１５から受信した新聞社と、紙面情報記憶部１２から読み出した第１データテーブルＴＢＬ１とに基づいて、注文受付部１５が受け付ける注文に含まれる日付情報が示す日に発行された新聞の紙面情報が、紙面情報記憶部１２の第１データテーブルＴＢＬ１に記憶されているか否かを判定する（ステップＳ３）。具体的には、日付判定部２４は、注文受付部１５から受信した日付と、第１データテーブルＴＢＬ１における日付とを順に比較し、第１データテーブルＴＢＬ１において同一の日付を特定する。ここで、日付判定部２４は、第１データテーブルＴＢＬ１において同一の日付を特定することができない場合、注文に含まれる日付情報が示す日に発行された新聞の紙面情報が、紙面情報記憶部１２の第１データテーブルＴＢＬ１に記憶されていないと判定する。また、日付判定部２４は、第１データテーブルＴＢＬ１において同一の日付を特定することができた場合、第１データテーブルＴＢＬ１において、特定した日付に対応する紙面情報が存在するか否かを特定する。日付判定部２４は、第１データテーブルＴＢＬ１において、特定した日付に対応する紙面情報が存在する場合に、注文に含まれる日付情報が示す日に発行された新聞の紙面情報が、紙面情報記憶部１２の第１データテーブルＴＢＬ１に記憶されていると判定する。日付判定部２４は、第１データテーブルＴＢＬ１において、特定した日付に対応する紙面情報が存在しない場合に、注文に含まれる日付情報が示す日に発行された新聞の紙面情報が、紙面情報記憶部１２の第１データテーブルＴＢＬ１に記憶されていないと判定する。
【００３７】
日付判定部２４は、注文に含まれる日付情報が示す日に発行された新聞の紙面情報が、紙面情報記憶部１２の第１データテーブルＴＢＬ１に記憶されていないと判定した場合（ステップＳ３、ＮＯ）、第１データテーブルＴＢＬ１において、注文に含まれる日付情報が示す日の前後の日に発行された新聞の紙面情報を特定する（ステップＳ４）。
【００３８】
推奨紙面決定部１６は、注文受付部１５から注文に含まれる日付情報が示す日付を受信すると、キーワード情報記憶部１３から第２データテーブルＴＢＬ２を読み出す。推奨紙面決定部１６は、注文受付部１５から受信した注文に含まれる日付情報が示す日付と、キーワード情報記憶部１３から読み出した第２データテーブルＴＢＬ２とに基づいて、注文に含まれる日付情報が示す日に対応するキーワードを特定する（ステップＳ５）。例えば、注文に含まれる日付情報が示す日付が１９６４年１０月１０日であり、キーワード情報記憶部１３が記憶する第２データテーブルＴＢＬ２が図４で示したデータテーブルであった場合、推奨紙面決定部１６は、注文に含まれる日付情報が示す日付と、第２データテーブルＴＢＬ２における時期とを比較し、共通する「１９６４年」を特定する。推奨紙面決定部１６は、第２データテーブルＴＢＬ２において、特定した１９６４年に対応するキーワード「東京オリンピック」を特定する。
【００３９】
推奨紙面決定部１６は、紙面情報記憶部１２から第１データテーブルＴＢＬ１を読み出す。推奨紙面決定部１６は、読み出した第１データテーブルＴＢＬ１における紙面情報のそれぞれが示すキーワードと、特定した注文に含まれる日付情報が示す日に対応するキーワードとに基づいて、第１データテーブルＴＢＬ１において注文に含まれる日付情報が示す日に対応するキーワードを含む紙面情報を特定する（ステップＳ６）。ここで、推奨紙面決定部１６が特定した紙面情報が推奨する新聞の紙面の紙面情報である。なお、キーワードのそれぞれに対して予め順位付けを行い、推奨紙面決定部１６は、その順位に応じて推奨する紙面情報を特定してよい。また、推奨紙面決定部１６が特定する紙面情報は複数の紙面情報であってよい。推奨紙面決定部１６は、特定した注文に含まれる日付情報が示す日に対応するキーワードを含む紙面情報を報知情報生成部１８に送信する。
【００４０】
報知情報生成部１８は、推奨紙面決定部１６から注文に含まれる日付情報が示す日に対応するキーワードを含む紙面情報を受信すると、受信した紙面情報のそれぞれの新聞の紙面をユーザに報知する報知情報を生成する（ステップＳ７）。報知情報生成部１８は、通信部１０を介して生成した報知情報を発注端末４０に送信する（ステップＳ８）。
【００４１】
発注端末４０は、報知情報生成部１８から報知情報を受信すると（ステップＳ９）、受信した報知情報に基づいて、推奨する新聞の紙面をユーザに報知する（ステップＳ１０）。
【００４２】
ユーザが推奨する新聞の紙面を参照し発注端末４０の受付画面において記念日新聞の注文を決定する操作を行うと、発注端末４０は、その操作に応じた注文を受注システム５０に送信する（ステップＳ１１）。このとき、発注端末４０は、操作が注文内容を確定する最終注文の操作であるか否かを判定する（ステップＳ１２）。
【００４３】
発注端末４０は、操作が最終注文の操作ではないと判定した場合（ステップＳ１２、ＮＯ）、注文を受注システム５０に送信し、ステップＳ２の処理に戻す。
【００４４】
また、発注端末４０は、操作が最終注文の操作であると判定した場合（ステップＳ１２、ＹＥＳ）、最終注文を受注システム５０に送信する。
【００４５】
注文受付部１５は、発注端末４０から通信部１０を介して最終注文を受信する（ステップＳ１３）。
【００４６】
また、日付判定部２４は、注文に含まれる日付情報が示す日に発行された新聞の紙面情報が、紙面情報記憶部１２の第１データテーブルＴＢＬ１に記憶されていると判定した場合（ステップＳ３、ＹＥＳ）、注文に含まれる日付情報が示す日に発行された新聞の紙面情報を特定する（ステップＳ１４）。日付判定部２４は、ステップＳ５の処理を行う。
【００４７】
上述のステップＳ１３において注文受付部１５が最終注文を受信した後、発注端末４０は、ユーザ操作により入力された顧客情報（例えば、氏名、メールアドレス、住所、および電話番号など）をネットワーク６０を介して印刷データ生成部２５に送信する。
【００４８】
印刷データ生成部２５は、発注端末４０から顧客情報を受信すると、受信した顧客情報を含む注文に基づいて、ユーザが指定した発行日の紙面情報と注文票を作成するための印刷データを生成する（ステップＳ１５）。印刷データ生成部２５は、紙面情報と注文票を作成するための印刷データを印刷機２に送信する。印刷機２は、印刷データ生成部２５から印刷データを受信すると、記念日新聞に係るサービス専用の用紙に受信した紙面情報が示す記事と、記念日新聞に係るサービスの注文票とを印刷する（ステップＳ１６）。
印刷機２が記事を印刷したサービス専用の用紙は、製本され、注文票と共にユーザが指定した住所へ送付される。
また、会計サーバは、記念日新聞に係るサービスおよびオプション（オプションが選択された場合）の販売価格を示す価格情報と、支払方法を示す支払方法情報とを含む情報である会計情報に基づいて、会計処理を行う。
【００４９】
なお、ステップＳ５の処理において推奨紙面決定部１６が注文に含まれる日付情報が示す日付と、第２データテーブルＴＢＬ２における時期とを比較し、キーワードを特定する際に、注文に含まれる日付情報が示す日付と、第２データテーブルＴＢＬ２における時期とが共通する年を例をして示したが、それに限定するものではない。例えば、第２データテーブルＴＢＬ２における時期は、月や日などであってよく、第２データテーブルＴＢＬ２が月とキーワードとの対応関係や日とキーワードとの対応関係などを示す場合には、推奨紙面決定部１６は、注文に含まれる日付情報が示す日付と、第２データテーブルＴＢＬ２における時期とが共通する月や日に基づいてキーワードを特定するものであってよい。
また、第２データテーブルＴＢＬ２の時期は、キーワード毎に異なる期間が対応付けられていてよい。図４で示した第２データテーブルＴＢＬ２では、１９６４年と東京オリンピックとが対応付けられているが、例えば、第２データテーブルＴＢＬ２の時期に幅を持たせ、１９６４年±２年と東京オリンピックとが対応付けられていてよい。
【００５０】
以上、本発明の第一の実施形態による新聞情報出力装置１の処理について説明した。上述の新聞情報出力装置１において、注文受付部１５は、過去の日付を示す日付情報を含む記念日新聞に係るサービスの注文を受け付ける。推奨紙面決定部１６は、注文受付部１５が受け付けた注文に含まれる日付情報が示す日付に基づいて、注文に含まれる日付情報が示す日に対応するキーワードを特定し、推奨する新聞の紙面を決定する。報知情報生成部１８は、推奨紙面決定部１６から推奨する新聞の紙面を受信すると、受信した新聞の紙面をユーザに報知する報知情報を生成する。印刷データ生成部２５は、注文受付部１５が推奨する新聞の紙面を追加する注文を受け付けた場合に、注文受付部１５が受け付けた注文に含まれる記念日を示す日付情報により決定される新聞の紙面と共に印刷することを推奨する新聞の紙面を印刷する印刷データを生成する。
こうすることで、新聞情報出力装置１は、複数の推奨する新聞の紙面をユーザに報知することができ、ユーザが報知された複数の新聞の紙面の中から任意に新聞紙面を選択することにより、記念日新聞に係るサービスの注文においてユーザが指定した年月日が同一であっても異なる内容の記事を有する新聞の複製物を提供することができる。新聞情報出力装置１は、贈り相手の好みや生年月日や記念日が示す時代背景などを反映させた内容の記事を有する新聞の複製物を提供することができる。
【００５１】
＜第二の実施形態＞
本発明の第二の実施形態による新聞情報出力装置１を備える受発注システム３の構成について説明する。
本実施形態による受発注システム３は、図１で示した第一の実施形態による受発注システム３と同様に、発注端末４０と、受注システム５０と、ネットワーク６０と、を備える。また、受注システム５０は、新聞情報出力装置１と、印刷機２とを備える。
【００５２】
次に、本実施形態による受発注システム３における新聞情報出力装置１の処理について説明する。
ここでは、図８に示す受発注システム３の処理フローについて説明する。
なお、推奨紙面決定部１６は、注文受付部１５が受け付けた注文に含まれる日付情報が示す日付に発行された新聞の記事内容に基づいて、推奨する新聞の紙面を決定する。
【００５３】
ユーザは、第一の実施形態と同様に、発注端末４０の表示部が表示する受付画面において記念日新聞を注文する操作を行う。
ユーザが発注端末４０の受付画面において記念日新聞を注文する操作を行うと、発注端末４０は、ステップＳ１の処理を行う。また、受注システム５０は、ステップＳ２〜ステップＳ４の処理を行う。
【００５４】
日付判定部２４は、ステップＳ４の処理で第１データテーブルＴＢＬ１において特定した注文に含まれる日付情報が示す日の前後の日に発行された新聞の紙面情報を推奨紙面決定部１６に送信する。
【００５５】
推奨紙面決定部１６は、日付判定部２４から新聞の紙面情報を受信すると、第１データテーブルＴＢＬ１において、受信した新聞の紙面情報に対応する紙面情報を特定する。推奨紙面決定部１６は、第１データテーブルＴＢＬ１において特定した注文に含まれる日付情報が示す日の前後の日に発行された新聞の紙面情報が示すキーワードを特定する（ステップＳ１７）。推奨紙面決定部１６は、ステップＳ６の処理を行う。
【００５６】
また、日付判定部２４は、ステップＳ１４の処理により、注文に含まれる日付情報が示す日に発行された新聞の紙面情報を特定すると、特定した新聞の紙面情報を推奨紙面決定部１６に送信する。
【００５７】
推奨紙面決定部１６は、日付判定部２４から新聞の紙面情報を受信すると、第１データテーブルＴＢＬ１において、受信した新聞の紙面情報に対応する紙面情報を特定する。推奨紙面決定部１６は、第１データテーブルＴＢＬ１において特定した注文に含まれる日付情報が示す日に発行された新聞の紙面情報が示すキーワードを特定する（ステップＳ１８）。推奨紙面決定部１６は、ステップＳ６の処理を行う。
【００５８】
以上、本発明の第一の実施形態による新聞情報出力装置１の処理について説明した。上述の新聞情報出力装置１において、注文受付部１５は、過去の日付を示す日付情報を含む記念日新聞に係るサービスの注文を受け付ける。推奨紙面決定部１６は、注文受付部１５が受け付けた注文に含まれる日付情報が示す日付に発行された新聞の記事内容に基づいて、注文に含まれる日付情報が示す日に発行された新聞の紙面情報が示すキーワードを特定し、推奨する新聞の紙面を決定する。報知情報生成部１８は、推奨紙面決定部１６から推奨する新聞の紙面を受信すると、受信した新聞の紙面をユーザに報知する報知情報を生成する。印刷データ生成部２５は、注文受付部１５が推奨する新聞の紙面を追加する注文を受け付けた場合に、注文受付部１５が受け付けた注文に含まれる記念日を示す日付情報により決定される新聞の紙面と共に印刷することを推奨する新聞の紙面を印刷する印刷データを生成する。
こうすることで、新聞情報出力装置１は、複数の推奨する新聞の紙面をユーザに報知することができ、ユーザが報知された複数の新聞の紙面の中から任意に新聞紙面を選択することにより、記念日新聞に係るサービスの注文においてユーザが指定した年月日が同一であっても異なる内容の記事を有する新聞の複製物を提供することができる。新聞情報出力装置１は、贈り相手の好みや生年月日や記念日が示す時代背景などを反映させた内容の記事を有する新聞の複製物を提供することができる。
【００５９】
＜第三の実施形態＞
本発明の第三の実施形態による新聞情報出力装置１を備える受発注システム３の構成について説明する。
本実施形態による受発注システム３は、図１で示した第一の実施形態による受発注システム３と同様に、発注端末４０と、受注システム５０と、ネットワーク６０と、を備える。また、受注システム５０は、新聞情報出力装置１と、印刷機２とを備える。
ただし、キーワード情報記憶部１３は、予め各新聞の紙面のレイアウトを解析したレイアウト解析結果や新聞の紙面を形態素解析した形態素解析結果により得られたキーワードのそれぞれと、それぞれのキーワードが世相を表した時期と、それぞれのキーワードが表す分野とを対応付けて記憶する。例えば、キーワード情報記憶部１３は、図９に示すような第３データテーブルＴＢＬ３を記憶する。図９に示す第３データテーブルＴＢＬ３は、キーワードを示す「東京オリンピック」と、時期を示す東京オリンピックが開催された「１９６４年」と、分野を示す「スポーツ」とを対応付けて記憶している。また、第３データテーブルＴＢＬ３は、キーワードを示す「札幌オリンピック」と、時期を示す札幌オリンピックが開催された「１９７２年」と、分野を示す「スポーツ」とを対応付けて記憶している。また、第３データテーブルＴＢＬ３は、キーワードを示す「長野オリンピック」と、時期を示す長野オリンピックが開催された「１９９８年」と、分野を示す「スポーツ」とを対応付けて記憶している。また、第３データテーブルＴＢＬ３は、キーワードを示す「東京オリンピック」と、時期を示す東京オリンピックが開催される「２０２０年」と、分野を示す「スポーツ」とを対応付けて記憶している。また、第３データテーブルＴＢＬ３は、鉄道やその他の分野のそれぞれに対しても、時期とキーワードとが対応付けられて記憶している。
注文受付部１５は、新聞記事の分野を示す分野情報を含む注文を受け付ける。
推奨紙面決定部１６は、注文受付部１５が受け付けた分野情報に基づいて、推奨する新聞の紙面を決定する。
本実施形態による受発注システム３は、ユーザが発注端末４０の受付画面において記念日新聞を注文する操作を行う際に、図１０に示すように、贈り相手の趣味嗜好に応じた分野の入力を求めるものである。
【００６０】
次に、本実施形態による受発注システム３における新聞情報出力装置１の処理について説明する。
ここでは、図１１に示す受発注システム３の処理フローについて説明する。
【００６１】
発注端末４０は、ユーザ操作により注文サイトの受付画面を発注端末４０の表示部に表示させる。発注端末４０の表示部が表示する受付画面は、例えば、図６（１）、図１０で示した受付画面である。
【００６２】
ユーザは、発注端末４０の表示部が表示する受付画面において記念日新聞を注文する操作を行う。具体的には、例えば、ユーザは、図６（１）で示した「ご希望の新聞社をお選びください」という表示の近傍に表示されたプルダウンメニューに示される複数の新聞社の中から１つの新聞社をユーザが選択することにより「１．新聞社の入力」を行う。また、例えば、ユーザは、図１０で示した「ご希望の日付を入力してください」という表示の近傍に表示されたプルダウンメニューに示される「年」、「月」及び「日」のそれぞれを複数の候補の中から選択し、その選択により日付（年月日）を指定することにより、「２．記念日の入力」を行う。また、ユーザは、図１０で示した「○○さんの趣味は何ですか？」という表示の近傍に表示された文字入力欄に趣味の分野を書き込む。
【００６３】
ユーザが発注端末４０の受付画面において趣味の分野を含む記念日新聞を注文する操作を行うと、発注端末４０は、その操作に応じた新聞社と日付情報と趣味の分野とを示す注文を受注システム５０に送信する（ステップＳ１９）。
【００６４】
注文受付部１５は、発注端末４０から通信部１０を介して新聞社と日付情報と趣味の分野とを含む注文を受信すると（ステップＳ２０）、受信した注文に含まれる日付情報が示す日付と趣味の分野とを推奨紙面決定部１６に送信する。また、注文受付部１５は、発注端末４０から通信部１０を介して注文を受信すると、受信した注文に含まれる日付情報が示す日付と、受信した新聞社とを日付判定部２４に送信する。
【００６５】
日付判定部２４は、注文受付部１５から注文に含まれる日付情報が示す日付と、新聞社とを受信すると、ステップＳ３の処理を行う。日付判定部２４は、ステップＳ３の処理で注文に含まれる日付情報が示す日に発行された新聞の紙面情報が、紙面情報記憶部１２の第１データテーブルＴＢＬ１に記憶されていないと判定した場合（ステップＳ３、ＮＯ）、ステップＳ４の処理を行う。
【００６６】
推奨紙面決定部１６は、注文受付部１５から注文を受信すると、キーワード情報記憶部１３から第３データテーブルＴＢＬ３を読み出す。推奨紙面決定部１６は、注文受付部１５から受信した注文に含まれる趣味の分野と、キーワード情報記憶部１３から読み出した第３データテーブルＴＢＬ３とに基づいて、注文に含まれる趣味の分野に対応するキーワードを特定する（ステップＳ２１）。例えば、注文に含まれる趣味の分野がスポーツであり、キーワード情報記憶部１３が記憶する第３データテーブルＴＢＬ３が図９で示したデータテーブルであった場合、推奨紙面決定部１６は、注文に含まれる趣味の分野が示すスポーツと、第３データテーブルＴＢＬ３における分野とを比較し、共通する「スポーツ」を特定する。推奨紙面決定部１６は、第３データテーブルＴＢＬ３において、特定した「スポーツ」に対応するキーワード「東京オリンピック」、「札幌オリンピック」、「長野オリンピック」を特定する。なお、推奨紙面決定部１６は、第３データテーブルＴＢＬ３においてキーワードを特定する際に、注文に含まれる日付情報が示す日付も用いてもよい。例えば、推奨紙面決定部１６は、注文に含まれる日付情報が示す日付が１９６４年１０月１０日である場合、「スポーツ」に対応するキーワードのうち１９６４年に対応付けられているキーワードである「東京オリンピック」のみを特定してもよい。
推奨紙面決定部１６は、ステップＳ６の処理を行う。
【００６７】
以上、本発明の第三の実施形態による新聞情報出力装置１の処理について説明した。上述の新聞情報出力装置１において、注文受付部１５は、新聞記事の分野を示す分野情報を含む注文を受け付ける。推奨紙面決定部１６は、注文受付部１５が受け付けた分野情報に基づいて、推奨する新聞の紙面を決定する。報知情報生成部１８は、推奨紙面決定部１６から推奨する新聞の紙面を受信すると、受信した新聞の紙面をユーザに報知する報知情報を生成する。印刷データ生成部２５は、注文受付部１５が推奨する新聞の紙面を追加する注文を受け付けた場合に、注文受付部１５が受け付けた注文に含まれる記念日を示す日付情報により決定される新聞の紙面と共に印刷することを推奨する新聞の紙面を印刷する印刷データを生成する。
こうすることで、新聞情報出力装置１は、複数の推奨する新聞の紙面をユーザに報知することができ、ユーザが報知された複数の新聞の紙面の中から任意に新聞紙面を選択することにより、記念日新聞に係るサービスの注文においてユーザが指定した年月日が同一であっても異なる内容の記事を有する新聞の複製物を提供することができる。新聞情報出力装置１は、贈り相手の好みや生年月日や記念日が示す時代背景などを反映させた内容の記事を有する新聞の複製物を提供することができる。
【００６８】
＜第四の実施形態＞
本発明の第四の実施形態による新聞情報出力装置１を備える受発注システム３の構成について説明する。
本実施形態による受発注システム３は、図１で示した第一の実施形態による受発注システム３と同様に、発注端末４０と、受注システム５０と、ネットワーク６０と、を備える。また、受注システム５０は、新聞情報出力装置１と、印刷機２とを備える。
ただし、新聞情報出力装置１は、図１２に示すように、ユーザがアップロードした文字や写真などのデータを取得するアップロードデータ取得部２６を備える。
本実施形態による受発注システム３は、ユーザが発注端末４０の受付画面において記念日新聞を注文する操作を行う際に、図１３に示すように、「東京オリンピックに関連するコンテンツがあればアップロードしてください。記念日新聞の紙面と共に印刷します。」など、新聞情報出力装置１が特定したキーワードに関連するデータのアップロードを求めるものである。
【００６９】
次に、本実施形態による受発注システム３における新聞情報出力装置１の処理について説明する。
ここでは、図１４に示す受発注システム３の処理フローについて説明する。
【００７０】
受発注システム３においてステップＳ１〜ステップＳ６の処理が行われ、推奨紙面決定部１６は、特定した注文に含まれる日付情報が示す日に対応するキーワードと、そのキーワードを含む紙面情報とを報知情報生成部１８に送信する。
【００７１】
報知情報生成部１８は、推奨紙面決定部１６から注文に含まれる日付情報が示す日に対応するキーワードと、そのキーワードを含む紙面情報とを受信すると、受信した紙面情報のそれぞれの新聞の紙面と、キーワードに関連するデータのアップロードを促す表示をユーザに報知する報知情報を生成する（ステップＳ２２）。例えば、推奨紙面決定部１６が特定したキーワードが「東京オリンピック」である場合、報知情報生成部１８は、「東京オリンピックに関連するコンテンツがあればアップロードしてください。記念日新聞の紙面と共に印刷します。」という表示を含む報知情報を生成する。
報知情報生成部１８は、ステップＳ８の処理を行う。すると、アップロードデータ取得部２６は、発注端末４０からアップロードデータを受信するのを待つ、すなわち、データのアップロードの検出を開始する（ステップＳ２３）。
【００７２】
発注端末４０は、ステップＳ９の処理を行うと、受信した報知情報に基づいて、推奨する新聞の紙面とキーワードに関連するデータのアップロードを促す表示とをユーザに報知する（ステップＳ２４）。
【００７３】
ユーザが推奨する新聞の紙面を参照し発注端末４０の受付画面においてデータをアップロードする操作を行うと、発注端末４０は、その操作に応じたアップロードデータを受注システム５０に送信する（ステップＳ２５）。
アップロードデータ取得部２６は、発注端末４０からアップロードデータを受信する（ステップＳ２６）。
【００７４】
また、ユーザが推奨する新聞の紙面を参照し発注端末４０の受付画面において記念日新聞の注文を決定する操作を行うと、発注端末４０は、ステップＳ１１の処理を行う。
【００７５】
受発注システム３においてステップＳ１２〜ステップＳ１３の処理が行われた後、発注端末４０は、ユーザ操作により入力された顧客情報（例えば、氏名、メールアドレス、住所、および電話番号など）をネットワーク６０を介して新聞情報出力装置１に送信する。
【００７６】
新聞情報出力装置１は、発注端末４０から受信した顧客情報を含む注文に基づいて、ユーザが指定した発行日の紙面情報と注文票を作成するためのデータとを読み取る。なお、紙面情報は、アップロードデータ取得部２６が発注端末４０から受信したアップロードデータを含んでいる。新聞情報出力装置１は、アップロードデータを含む紙面情報と、注文票を作成するための印刷データとを印刷機２に送信する。印刷機２は、新聞情報出力装置１から紙面情報と注文票を作成するためのデータとを受信すると、ステップＳ１６の処理を行う。
印刷機２が記事を印刷したサービス専用の用紙は、製本され、注文票と共にユーザが指定した住所へ送付される。
また、会計サーバは、記念日新聞に係るサービスおよびオプション（オプションが選択された場合）の販売価格を示す価格情報と、支払方法を示す支払方法情報とを含む情報である会計情報に基づいて、会計処理を行う。
【００７７】
以上、本発明の第四の実施形態による新聞情報出力装置１の処理について説明した。上述の新聞情報出力装置１において、アップロードデータ取得部２６は、ユーザがアップロードした文字や写真などのデータを取得する。
こうすることで、新聞情報出力装置１は、ユーザが指定した年月日に基づいて決定された新聞の複製物と共に、ユーザがアップロードした文字や写真などが印刷された印刷物を提供することができる。
【００７８】
なお、本発明における記憶部やメモリは、適切な情報の送受信が行われる範囲においてどこに備えられていてもよい。また、記憶部やメモリは、適切な情報の送受信が行われる範囲において複数存在しデータを分散して記憶していてもよい。
【００７９】
なお本発明の実施形態における処理フローは、適切な処理が行われる範囲において、処理の順番が入れ替わってもよい。
【００８０】
なお本発明の実施形態について説明したが、上述の新聞情報出力装置１は内部に、コンピュータシステムを有している。そして、上述した処理の過程は、プログラムの形式でコンピュータ読み取り可能な記憶部に記憶されており、このプログラムをコンピュータが読み出して実行することによって、上記処理が行われる。ここでコンピュータ読み取り可能な記憶部とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００８１】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００８２】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【００８３】
なお、上記の実施形態の一部又は全部は、以下の付記のようにも記載されうるが、以下には限られない。
【００８４】
（付記１）注文受付部は、過去の日付を示す日付情報を含む注文を受け付け、
推奨紙面決定部は、前記注文受付部が受け付けた注文に含まれる日付情報が示す日付、及び、前記日付情報が示す日付に発行された新聞の記事内容のうちの少なくとも一方に基づいて、前記注文受付部が受け付けた注文に含まれる日付情報により決定される新聞の紙面と共に印刷することを推奨する新聞の紙面を決定し、
報知情報生成部は、前記推奨紙面決定部が決定した推奨する新聞の紙面をユーザに報知する報知情報を生成し、前記報知情報に基づいてユーザに報知した推奨する新聞の紙面を追加する注文を受け付けた場合に、前記ユーザに報知した推奨する新聞の紙面を印刷する印刷データを生成する、新聞情報出力装置の制御方法。
【符号の説明】
【００８５】
１・・・新聞情報出力装置
２・・・印刷機
３・・・受発注システム
１０・・・通信部
１２・・・紙面情報記憶部
１３・・・キーワード情報記憶部
１４・・・紙面情報管理部
１５・・・注文受付部
１６・・・推奨紙面決定部
１８・・・報知情報生成部
２４・・・日付判定部
２５・・・印刷データ生成部
２６・・・アップロードデータ取得部
２８・・・ＣＰＵ部
３０・・・記憶部
３２・・・記念日新聞受注プログラム
４０・・・発注端末
５０・・・受注システム
６０・・・ネットワーク
ＴＢＬ１・・・第１データテーブル
ＴＢＬ２・・・第２データテーブル
【図１】
2017021709.tif 000003
【図２】
2017021709.tif 000004
【図３】
2017021709.tif 000005
【図４】
2017021709.tif 000006
【図５】
2017021709.tif 000007
【図６】
2017021709.tif 000008
【図７】
2017021709.tif 000009
【図８】
2017021709.tif 000010
【図９】
2017021709.tif 000011
【図１０】
2017021709.tif 000012
【図１１】
2017021709.tif 000013
【図１２】
2017021709.tif 000014
【図１３】
2017021709.tif 000015
【図１４】
2017021709.tif 000016